(57)【要約】【課題】遊技領域を拡大することのできる遊技機を提供する。【解決手段】遊技盤面を前面に有しかつ該遊技盤面上に遊技領域６３を区画する区画壁を設けた遊技盤６と、遊技盤６を着脱可能に嵌め込んだ状態で支持する遊技盤装着枠部２１とを備える。遊技盤装着枠部２１には、遊技盤６の前面における周縁部に当接して遊技盤６の前方への移動を規制する係止部２７，（２８）が設けられる。遊技盤６は、遊技盤装着枠部２１に着脱可能に嵌め込んだ状態で支持される。このとき、遊技盤６の前面における周縁部が遊技盤装着枠部２１に設けられた係止部２７（２８）に当接することにより、該遊技盤６の前方への移動が規制される。【選択図】　　　図１
2004065934.tif 000002
【特許請求の範囲】
【請求項１】
遊技盤面を前面に有しかつ該遊技盤面上に遊技領域を区画する区画壁を設けた遊技盤と、前記遊技盤を着脱可能に嵌め込んだ状態で支持する遊技盤装着枠部とを備え、
前記遊技盤装着枠部には、前記遊技盤の前面における周縁部に当接して該遊技盤の前方への移動を規制する係止部が設けられている遊技機。
【発明の詳細な説明】
【０００１】
【発明の属する技術分野】
本発明は、パチンコ機、アレンジボール機、あるいは、パチンコ球を使用してスロットマシンと同様の遊技を行う遊技機等の遊技機に関する。
【０００２】
【従来の技術】
この種の遊技機は、例えば遊技盤面を前面に有しかつ該遊技盤面上に遊技領域を区画する区画壁を設けた遊技盤と、前記遊技盤を後方から着脱可能に嵌め込んだ状態で支持する遊技盤装着枠部とを備えている。前記遊技盤装着枠部には、前記遊技盤の前面の外周縁に当接して該遊技盤の前方への移動を規制する係止部が設けられている。そして、従来では、前記遊技盤の前面における左側縁部及び右側縁部に対応する前記係止部が上下方向に連続して形成されていた。（例えば、特許文献１等参照。）。
【０００３】
【特許文献１】
特開平６−７１０１４号公報
【０００４】
【発明が解決しようとする課題】
ところで、前記遊技盤を前記遊技盤装着枠部に嵌め込むに際し、前記係止部と前記区画壁とが干渉しないように、区画壁の外形（遊技盤の遊技盤面に向かって見た区画壁の左右方向の寸法が相当する）を設定する必要がある。例えば、一般的なパチンコ機の場合、区画壁がほぼ渦巻き状に形成されているため、その区画壁の大半を占める外径が区画壁の外形に相当する。例えば、前記特許文献１においては、誘導レール２（特許文献１の実施例中の符号を付す、以下同様）、発射レール３、右パネル飾り７の曲面部９等によって形成される渦巻状の壁が、本明細書でいう「区画壁」に相当する。
【０００５】
したがって、前記したように、遊技盤の前面における左側縁部及び右側縁部に対応する両係止部が上下方向に連続して形成されているものでは、その両係止部によって区画壁の外形が制約を受けることになる。このため、区画壁によって形成される遊技領域が狭くならざるを得ないという問題があった。例えば、前記特許文献１においては、遊技盤１の前面における左側縁部及び右側縁部の内側に左パネル飾り１０５及び右パネル飾り７が設けられている。このため、それらの内側に前記区画壁（誘導レール２、発射レール３、右パネル飾り７の曲面部９等）が設けられる結果、その区画壁内の遊技領域が狭いものになってしまう。
【０００６】
また、近年、遊技機の演出が複雑化し、遊技領域の中央部に配設される図柄表示装置も大型化してきていることから、遊技領域を拡大することが切望されている。その対策として、遊技盤の横幅（遊技盤の遊技盤面に向かって左右方向の寸法が相当する）を拡大することによって、遊技領域を拡大することが容易に考えられる。しかし、この対策では、遊技機の横幅の拡大を余儀なくされるため好ましくない。すなわち、遊技機の横幅には自ずと制約があるため、その横幅を安易に拡大することは実用的とはいえない。したがって、遊技機の横幅の制約のなかで、遊技領域を拡大する対策を講じることが望まれる。なお、遊技盤の高さ（遊技盤の遊技盤面に向かって上下方向の寸法が相当する）に関しては、拡大する余裕があるため問題は生じない。
【０００７】
また、上下方向に連続して形成されている係止部を省くことによって、遊技領域を拡大する対策も考えられる。しかし、このような対策では、遊技盤の当該側縁部に対する規制力がなくなるため、該遊技盤に歪みを生じやすくなるという不都合を招くことから、これまた好ましくない。
【０００８】
本発明が解決しようとする課題は、遊技領域を拡大することのできる遊技機を提供することにある。
【０００９】
【課題を解決するための手段】
前記した課題を解決するために、本発明の手段１にかかる遊技機は、
「遊技盤面を前面に有しかつ該遊技盤面上に遊技領域を区画する区画壁を設けた遊技盤と、前記遊技盤を着脱可能に嵌め込んだ状態で支持する遊技盤装着枠部とを備え、
前記遊技盤装着枠部には、前記遊技盤の前面における周縁部に当接して該遊技盤の前方への移動を規制する係止部が設けられている遊技機であって、
前記遊技盤の前面における左側縁部及び右側縁部の少なくとも一方の側縁部に対応する前記遊技盤装着枠部の係止部が、前記区画壁の当該側端部に近接する前記遊技盤の側縁部分を除いた上方及び下方のうち少なくとも一方の側縁部分に対応する位置関係をもって設けられていることを特徴とする遊技機。」
を要旨とするものである。
このように構成すると、遊技盤面を前面に有しかつ該遊技盤面上に遊技領域を区画する区画壁を設けた遊技盤は、遊技盤装着枠部に着脱可能に嵌め込んだ状態で支持される。このとき、遊技盤の前面における周縁部が遊技盤装着枠部に設けられた係止部に当接することにより、該遊技盤の前方への移動が規制される。しかして、遊技盤の前面における左側縁部及び右側縁部の少なくとも一方の側縁部に対応する遊技盤装着枠部の左右それぞれの上下の係止部が、前記区画壁の当該側端部に近接する前記遊技盤の側縁部分を除いた上方及び下方のうち少なくとも一方の側縁部分に対応する位置関係をもって設けられている。このため、区画壁の外形を拡大することができ、これにより遊技領域を拡大することが可能となる。
【００１０】
本発明の手段２にかかる遊技機は、
「前記手段１に記載の遊技機であって、
前記遊技盤の前面の遊技領域外に囲繞部が突設され、
前記囲繞部に、前記係止部を受入可能でかつ該係止部が当接する規制面を形成する受入凹部が設けられていることを特徴とする遊技機。」
を要旨とするものである。
このように構成すると、遊技盤の遊技領域外の囲繞部に設けられた受入凹部に係止部が受入れられ、該係止部と規制面とが当接し合う。これによって、囲繞部が突設された遊技盤の前方への移動を規制することができる。
【００１１】
本発明の手段３にかかる遊技機は、
「前記手段２に記載の遊技機であって、
前記少なくとも１つの受入凹部が、前記遊技盤の当該側縁部分に沿って前記区画壁の当該側端部から離れる方向に延長されかつその延長方向に開放されていることを特徴とする遊技機。」
を要旨とするものである。
このように構成すると、受入凹部の上下方向の長さを延長し、遊技盤の規制面に対する係止部の上下方向の長さ及び当接位置あるいは形状等の自由度を増大することができる。
また、受入凹部が延長方向に開放するように上下方向に長くすることは、遊技盤の製造上においても有益といえる。すなわち、遊技機の製造ラインにおいて、遊技盤は、搬送台車に１台ずつセットされた状態で、その搬送台車とともに所定コースを移動する。そして、搬送台車が各組付工程、加工工程を経由していくことにより、遊技盤に各種役物等の装置が組付られるとともに所要の加工が施される。ところで、搬送台車には、遊技盤の正確なセット位置を確保するための位置決め治具が設けられている。位置決め治具は、遊技盤装着枠部の係止部とほぼ同様の係止部を備え、遊技盤を所定のセット位置に位置決めした状態で固定する。
したがって、遊技盤装着枠部の係止部と同様に、位置決め治具の係止部の長さ及び当接位置あるいは形状等の自由度を増大することができる。
【００１２】
本発明の手段４にかかる遊技機は、
「前記手段２又は３に記載の遊技機であって、
前記囲繞部は、前記遊技盤面に平行な前面を有し、
前記遊技盤装着枠部の係止部は、その遊技盤装着枠部に前記遊技盤を装着したときに前記囲繞部の前面とほぼ同一平面をなす前面を有していることを特徴とする遊技機。」
を要旨とするものである。
このように構成すると、囲繞部の前面と遊技盤装着枠部の係止部の前面が違和感の軽減された意匠を呈することができる。
【００１３】
本発明の手段５にかかる遊技機は、
「前記手段１〜４のいずれか１つに記載の遊技機であって、
前記囲繞部の表面と前記遊技盤装着枠部の係止部の表面は、同色又は類似色をなしていることを特徴とする遊技機。」
を要旨とするものである。
このように構成すると、囲繞部の表面と遊技盤装着枠部の係止部の表面が違和感の軽減された意匠を呈することができる。
【００１４】
本発明の手段６にかかる遊技機は、
「前記手段１〜５のいずれか１つに記載の遊技機であって、
前記係止部は、前記遊技盤装着枠部に一体形成されていることを特徴とする遊技機。」
を要旨とするものである。
このように構成すると、遊技盤装着枠部に別部品としての係止部を組付ける場合に比べて、部品点数及び組付工数を削減することができる。
【００１５】
【発明の実施の形態】
［実施の形態１］
本発明の実施の形態１を図面にしたがって説明する。実施の形態１は、遊技機の一つであるパチンコ機に本発明を適用したものを例示する。まず、パチンコ機の基本的な構成について述べる。また、説明の都合上、パチンコ機の遊技者に面する側を前面側、その反対側を後面側と称し、図面の方位を各図に矢印で示すとおりに定める。図１に示すように、パチンコ機１は、外枠体１０と内枠体２０と開閉扉８０とを備えている。外枠体１０は、図３に示すように、例えば、木製の左右上下の各枠材１１，１２，１３，１４をほぼ矩形枠状に枠組みして形成されている。左右の枠材１１，１２の下端部における前面側の相互間には、下受板１５が架設されている。
【００１６】
前記内枠体２０は、図１２及び図１３に示すように、例えば樹脂製で、ほぼ四角形額縁状に形成されている。図３に示すように、前記外枠体１０の左側部に対し、内枠体２０の左側部が内枠体用ヒンジ機構１８を介して回動可能に支持されることにより、外枠体１０の前面側に内枠体２０が開閉可能に設けられている。
また、図１に示すように、内枠体２０には、遊技盤装着枠部２１が一体形成されている。遊技盤装着枠部２１は、遊技盤６を後方から着脱可能に嵌め込んだ状態で支持している。遊技盤装着枠部２１の構成については後ほど詳述する。
【００１７】
図３に示すように、前記内枠体２０の後面側には、機構盤３０が設けられている。機構盤３０は、例えば樹脂製で、図１７に示すように、ほぼ四角形額縁状に形成されている。図６に示すように、機構盤３０の後面側には、その上部から下部に向けて球タンク３２、球誘導樋３４、球払出装置３６等が配設されている。
前記内枠体２０の左側部に対し、機構盤３０の左側部が機構盤用ヒンジ機構（符号省略）を介して回動可能に支持されることにより、内枠体２０の後面側に機構盤３０が開閉可能に設けられている。
【００１８】
図６に示すように、前記内枠体２０の後面側には、前記機構盤３０を閉じ状態に保持するための複数（例えば４個）の締付具２９が配設されている。内枠体２０に機構盤３０を閉じた状態で、締付具２９が締付けられることにより、内枠体２０に対して機構盤３０が閉じ状態に保持される（図３参照）。これとともに、内枠体２０の遊技盤装着枠部２１に嵌め込まれた遊技盤６が固定状態に保持される（図１参照）。また、内枠体２０に対する締付具２９の締付けを緩めて解放することにより機構盤３０を開くことができ、それによって遊技盤装着枠部２１に対して遊技盤６を脱着することができる。なお、図３及び図６では遊技盤６が省略されている。
【００１９】
前記内枠体２０の後面側の右下部（図１４において左下部）には、球発射装置４０が配設されている。球発射装置４０は、球発射モータ４１と、その球発射モータ４１によって駆動される球発射ハンマー４２と備えている。また、内枠体２０の右下部には、図１２及び図１３に示すように、開口孔２０ａが形成されている。開口孔２０ａ内には、前記球発射装置４０の操作軸４０ａが挿入されている。なお、操作軸４０ａには、ハンドルレバー４８の作動軸４７（図３０参照、後述する）が係合によって連結されている。ハンドルレバー４８を介して、操作軸４０ａが回動されることによって、球発射モータ４１がコントロールされる。
【００２０】
前記内枠体２０の後面側には、図６に示すように、前記球発射モータ４１の左側（図６において右側）に位置する発射制御基板ボックス５０が配置されている。発射制御基板ボックス５０内には、球発射モータ４１の制御にかかる発射制御基板（図示省略）が収納されている。また、図１３に示すように、内枠体２０の右上隅角部には、スピーカ取付孔２３ａを有するスピーカ取付用枠部２３が形成されている。スピーカ取付孔２３ａ内には、スピーカ５６が配置されている（図９参照）。図１３に示すように、スピーカ取付用枠部２３の左下隅角部は、遊技盤装着枠部２１の右上隅角部に、はみ出している。
【００２１】
図６に示すように、前記機構盤３０の後面側には、前記球発射モータ４１及び前記発射制御基板ボックス５０の上方近く位置する電源基板ボックス５１が配置されている。電源基板ボックス５１内には、電源基板（図示省略）が収納されている。さらに、図３に示すように、電源基板ボックス５１の後面側には、サブ基板ボックス５２が配置されている。サブ基板ボックス５２内には、サブ制御基板（図示省略）が収納されている。なお、サブ制御基板は、前記スピーカ５６（図９参照）、開閉扉８０の発光装飾装置の各ランプ（後述する）、操作ハンドル４４のバイブレータ（後述する）及び操作ユニット１４０（図４参照）等の制御にかかる制御基板である。
【００２２】
前記機構盤３０の後面側の左上部（図６において右上部）には、左右の中継基板５３，５４が配置されている。中継基板５３，５４には、前記サブ制御基板（図示省略）、前記スピーカ５６（図９参照）、カード式球貸機２００（図３２参照）、開閉扉８０の発光装飾装置の各ランプ（後述する）等が電気的に接続されている。
【００２３】
前記機構盤３０の後面側の上端部には、一対の中継基板５３，５４の左隣り（図６において右隣り）に位置するインターフェース制御基板ボックス５５が配置されている。インターフェース制御基板ボックス５５内には、球貸機２００（図３２参照）の制御にかかるインターフェース制御基板（図示省略）が収納されている。また、機構盤３０の後面側の上端部にインターフェース制御基板ボックス５５が配置されている。このため、その制御基板ボックス５５のコネクタ５５ａがホール作業者等の目につきやすく、そのコネクタ５５ａに対する球貸機２００の電気的接続作業を容易に行うことができる。
【００２４】
図１８及び図１９に示すように、前記遊技盤６は、ほぼ四角形板状に形成されたベース板６０を主体として形成されており、その前面が遊技盤面（符号省略）となっている。ベース板６０は、例えばベニヤ製であるが、その他の木製あるいは樹脂製であってもよく、その材質は限定されない。
ベース板６０の前面には、区画壁６１が形成されかつ左右の囲繞部材６８，６９が装着されている。区画壁６１は、左側のレール６１Ａと右側のレール６１Ｂと内側のレール６１Ｃとを備えている。左側のレール６１Ａ及び内側のレール６１Ｃは、例えば金属製のレール材で、所定のレール幅を有する帯板材をほぼ半円状に曲げて形成されており、ベース板６０に対して図示しない釘によって装着されている（図３３参照）。左側のレール６１Ａの下部は、右下方に向けてなだらかに広がるように形成されている。また、内外に重複する左側のレール６１Ａと内側のレール６１Ｃの重複部分は、相互にほぼ平行をなすように形成されている。また、図１８に示すように、右側のレール６１Ｂは、右側の囲繞部材６９（後述する）のほぼ円弧状の凹形内側壁６１Ｂ（右側のレールと同一符号を付す）によって形成されている。なお、左側のレール６１Ａの右端部は、右側の囲繞部材６９の凹形内側壁６１Ｂの上端部内側に沿って配置されている。また、左側のレール６１Ａの右端部は、右側の囲繞部材６９の凹形内側壁６１Ｂの下端部内側に沿って配置されている。
【００２５】
上記した各レール６１Ａ，６１Ｂ，６１Ｃの協働によって、ほぼ渦巻き状の区画壁６１が構成されている。また、区画壁６１によって、ベース板６０の前面すなわち遊技盤面上に、ほぼ円形状の遊技領域６３が区画されている。これとともに、左側のレール６１Ａと内側のレール６１Ｃとの間には、前記球発射装置４０の球発射ハンマー４２（図１４参照）によって発射されるパチンコ球Ｂを遊技領域６３内に誘導する球案内路６４が形成されている。また、ベース板６０の下端部には、内側のレール６１Ｃの下端部に位置するアウト口６０ｂが形成されている。
【００２６】
前記各囲繞部材６８，６９は、例えば樹脂製で、図１８に示すように、前記区画壁６１の左右両側に配置されており、該区画壁６１の外側面に倣う凹形内側壁を有する板状に形成されている。各囲繞部材６８，６９は、前記区画壁６１のレール幅（図１８において紙面表裏方向に関する幅）とほぼ等しい高さｈ（図１９参照）でベース板６０の前面上に突設されている。その高さｈは、ベース板６０の遊技盤面（前面）上に突出する突出高さに相当する。なお、各囲繞部材６８，６９は、本明細書でいう「囲繞部」に相当する。
【００２７】
また、前記各囲繞部材６８，６９の前面（符号、６８ｃ、６９ｃを付す）は、遊技盤面に平行をなす平坦面に形成されている（図１５及び図１９参照）。
【００２８】
前記ベース板６０の遊技領域６３内には、図示はしないが、各種の入賞装置、役物装置、図柄表示装置、アタッカ装置、ゲート口、風車器、誘導釘等が配設されている。また、前記ベース板６０の後面側には、前記各種の入賞装置、役物装置、図柄表示装置、アタッカ装置等を電気的に制御する制御基板を収納した制御ボックス装置６６（図１９参照）が装着されている。上記した遊技盤６を前記内枠体２０の遊技盤装着枠部２１（図１参照）に装着する遊技盤６の装着構造については、後ほど詳述する。なお、上記したベース板６０を主体として、左側のレール６１Ａ、内側のレール６１Ｃ、制御ボックス装置６６、各囲繞部材６８，６９、各種の入賞装置、役物装置、図柄表示装置、アタッカ装置、ゲート口、風車器、誘導釘等が装着されることによって、遊技盤６が構成されている。
【００２９】
図１及び図４に示すように、前記内枠体２０の前面側における下端部には、下前板部材５８が設けられている。下前板部材５８の前面側には、下皿５９が設けられている。下前板部材５８の右端部には、前記球発射装置４０の操作ハンドル４４が配置されている（図３参照）。操作ハンドル４４の構成については後ほど詳述する。
【００３０】
前記内枠体２０の前面側において、前記下前板部材５８の上側には上皿部材７０が配置されている。上皿部材７０は、例えば樹脂製で、ほぼ横長状に形成されており、その前面側に上皿７１が設けられている。図２に示すように、前記内枠体２０の左側部に対して上皿部材７０の左側部が上皿部材用ヒンジ機構（符号省略）を介して回動可能に支持されることにより、内枠体２０の前面側に上皿部材７０が開閉可能に設けられている。また、上皿部材７０における右側部の後面側には、内枠体２０に対して該上皿部材７０を閉じた状態に保持するための上皿部材用施錠金具７２が施錠及び解錠可能に配置されている。
【００３１】
次に、開閉扉８０を説明する。図４に示すように、開閉扉８０には、前記遊技盤６の遊技領域６３（図１８参照）にほぼ対応する遊技領域視認窓８０ａが形成されている。遊技領域視認窓８０ａは、遊技盤６の遊技領域６３を視認可能とするもので、斬新で特異な輪郭形状９６（後述する）に形成されている。
【００３２】
図１に示すように、前記開閉扉８０は、扉本体８２と、その扉本体８２の前面側を装飾する扉装飾体９０とを備えている。扉本体８２は例えば金属製で、その後面側には金属製の透視板装着枠８３が配設されている。図２２〜図２４に示すように、透視板装着枠８３は、遊技領域視認窓８０ａを取り囲むようにほぼ矩形状に枠組みされている。透視板装着枠８３には、ほぼ四角形板状をなす内外２枚の透視可能なガラス板あるいは樹脂板等からなる前後２枚の透視板８４が相互に所定間隔を隔てた状態で装着されている。なお、透視板装着枠８３に支持される透視板８４の枚数は、１枚あるいは３枚以上でもよい。
【００３３】
図１に示すように、前記内枠体２０の左側部に対して扉本体８２の左側部が開閉扉用ヒンジ機構（図示省略）を介して回動可能に支持されることにより、内枠体２０の前面側に開閉扉８０が開閉可能に設けられている。また、内枠体２０に開閉扉８０が閉じられることによって、パチンコ機１の前方に居る遊技者は、両透視板８４を透して遊技盤６の遊技領域６３を視認することができる（図７〜図１１参照）。なお、図７〜図１１の各図において、外枠体１０（図１参照）が省略されている。
【００３４】
図２２〜図２４に示すように、前記扉装飾体９０は、例えば樹脂製で、扉本体８２の前面側に対し、該扉本体８２の前記遊技領域視認窓８０ａの周囲を取り囲むように形成されている。扉装飾体９０は発光装飾装置を備え、その扉装飾体９０の前面にはレリーフ調の凹凸による装飾が施されている（図２０及び図２１参照）。扉装飾体９０及び該扉装飾体９０にかかる発光装飾装置に関する構成については後ほど詳述する。
【００３５】
図３に示すように、前記内枠体２０の右側部には、施錠装置７５が装着されている。施錠装置７５は、上下の施錠フック７６ａを有する内枠体用施錠板７６と、上下の施錠フック７８ａ（図１参照）を有する開閉扉用施錠板７８（図１４参照）とを備えている。各施錠板７６，７８は、それぞれ内枠体２０に対して上下方向にスライド可能に備えている。内枠体用施錠板７６は、ばね７７（図１４参照）により常には上方へ付勢されている。また、開閉扉用施錠板７８は、ばね（図示省略）により常には下方へ付勢されている。
【００３６】
図３に示す状態から、前記外枠体１０に対して前記内枠体２０が閉じられたときには、該外枠体１０に固定されている上下の各係合部１６（図３参照）に対し、前記内枠体用施錠板７６の各施錠フック７６ａが係合する。これにより、外枠体１０に対して内枠体２０が閉じた状態に施錠される。また、この状態において、前記下前板部材５８の右側部の上端部に配設された鍵穴５８ａ（図４参照）に鍵（図示省略）を挿入し、その鍵を一方向に回動操作する。これにより、前記内枠体用施錠板７６が下方へスライドされて、前記外枠体１０の各係合部１６に対する前記各施錠フック７６ａの係合が解除すなわち解錠される。
【００３７】
また、図１に示す状態から、内枠体２０に対して開閉扉８０が閉じられたときには、該開閉扉８０の扉本体８２に設けられている上下の各係合部８５に対し、開閉扉用施錠板７８（図１４参照）の各施錠フック７８ａが係合することによって、内枠体２０に対して開閉扉８０が閉じた状態に施錠される。また、この状態において、前記下前板部材５８の鍵穴５８ａ（図４参照）に対して前記鍵を挿入し、その鍵を前記とは反対方向に回動操作する。これにより、前記開閉扉用施錠板７８が上方へスライドされて、前記扉本体８２の各係合部８５に対する前記各施錠用フック７８ａの係合が解除すなわち解錠される。
【００３８】
次に、前記遊技盤６の構成を詳述する。図１８に示すように、ほぼ四角形板状に形成された前記ベース板６０の前面には、前に述べたように区画壁６１が形成されかつ左右の囲繞部材６８，６９が装着されている。ベース板６０の下端部には、前記上皿７１（図１参照）上への賞球の払出通路を形成のための開口凹部６０ｃが形成されている。
また、ベース板６０の右上隅角部には、スピーカ用凹部６０ｄが切欠き状に形成されている。スピーカ用凹部６０ｄは、前記内枠体２０のスピーカ取付用枠部２３を嵌合可能に形成されている（図２参照）。
また、図１８に示すように、ベース板６０の左上隅角部には、配線用凹部６０ｅが切欠き状に形成されている。配線用凹部６０ｅは、前記内枠体２０の配線用枠部２２（後述する）を嵌合可能に形成されている（図２参照）。
【００３９】
前記ベース板６０の上側縁部６０ａ１及び下側縁部６０ａ２の前面は両囲繞部材６８，６９で覆われておらず、その両側縁部６０ａ１，６０ａ２が露出された状態となっている。ベース板６０の下側縁部６０ａ２の前面には、係止端部６５ａを有する左右のロックレバー６５が、それぞれ軸６５ｂにより回動可能に設けられている。両ロックレバー６５は、回動させることによって、係止端部６５ａがベース板６０上に格納される格納位置（図１８中、二点鎖線６５ａ参照）と、その係止端部６５ａがベース板６０の下方へ突出するストッパ位置（図１８中、実線６５ａ参照）との二位置に切り替え可能になっている。
【００４０】
前記左側の囲繞部材６８の左側面には、上下の切欠き凹部６８ａが形成されている。上下の切欠き凹部６８ａは、前記区画壁６１の左側端部に近接する側縁部分（左側の囲繞部材６８の側縁部分６８ｂが相当する）を間にして上下に配置されている。その上下の切欠き凹部６８ａの形成によって、前記ベース板６０の左側縁部６０ａ３の当該側縁部分が前面に露出されている。
また、前記右側の囲繞部材６９の右側面には、左側の囲繞部材６８の上下の切欠き凹部６８ａと左右対称状をなす上下の切欠き凹部６９ａが形成されている（図１９参照）。上下の切欠き凹部６９ａは、前記区画壁６１の右側端部に近接する側縁部分（右側の囲繞部材６９の側縁部分６９ｂが相当する）を間にして上下に配置されている。その上下の切欠き凹部６９ａの形成によって、前記ベース板６０の右側縁部６０ａ４の当該側縁部分が前面に露出された状態となっている。
なお、各囲繞部材６８，６９の切欠き凹部６８ａ，６９ａは、本明細書でいう「受入凹部」に相当する。また、切欠き凹部６８ａ，６９ａの形成によって露出されたベース板６０の左側縁部６０ａ３及び右側縁部６０ａ４の前面は本明細書でいう「規制面」に相当する。
【００４１】
次に、前記内枠体２０の遊技盤装着枠部２１の構成を詳述する。図１２〜図１４に示すように、遊技盤装着枠部２１の左上隅角部には、配線挿通孔２２ａを形成する配線用枠部２２がはみ出して形成されている。配線挿通孔２２ａには、前記開閉扉８０（図１参照）の発光装飾装置の各ランプ（後述する）、及び、操作ユニット１４０（図４参照）等にかかる配線Ｗ（図１参照）が挿通される。
また、前にも述べたように、遊技盤装着枠部２１の右上隅角部には，スピーカ取付孔２３ａを有するスピーカ取付用枠部２３が、はみ出して形成されている（図１２〜図１４参照）。
また、図１２〜図１４に示すように、遊技盤装着枠部２１の下端部の中央部分には、前記ベース板６０のアウト口６０ｂ（図１８参照）に対応する凹溝部２０ｂが形成されている。
上記した遊技盤装着枠部２１に対し、前記遊技盤６（図１８参照）がその後方から着脱可能に嵌め込めるようになっている。
【００４２】
図１２〜図１４に示すように、前記遊技盤装着枠部２１には、その後方から嵌め込まれる前記遊技盤６のベース板６０（図７〜図１１参照）に当接して該遊技盤６の前方への移動を規制する各係止部２４，２５，２７，２８が次のように設けられている。
詳しくは、図１４及び図１５に示すように、遊技盤装着枠部２１の上縁部には、遊技盤６の露出されたベース板６０の上側縁部６０ａ１の前面に対して面接触状に当接可能な上側の係止部２４が枠内に向けて突出されている。
また、図１４に示すように、遊技盤装着枠部２１の下縁部には、遊技盤６の露出されたベース板６０の下側縁部６０ａ２（図１８参照）の前面に対して面接触状に当接可能な下側の係止部２５が枠内に向けて突出されている。下側の係止部２５には、左右の開口孔２６ａが形成されている。各開口孔２６ａは、ベース板６０の格納位置にある前記ロックレバー６５（図１８中、二点鎖線６５ａ参照）を挿通可能に形成されている。
【００４３】
さらに、図１４に示すように、前記遊技盤装着枠部２１の左側縁部（図１４において右側縁部）には、上下の左側の係止部２７が枠内に向けて部分的に突出されている（図１２参照）。各左側の係止部２７は、前記遊技盤６（図１８参照）の左側の囲繞部材６８における各切欠き凹部６８ａに対し、相対的に嵌合可能でかつ該切欠き凹部６８ａにより露出されたベース板６０の左側縁部６０ａ３の前面に対して面接触状に当接可能に形成されている。すなわち、左側の係止部２７は、前記区画壁６１（図１８参照）の左側端部に近接する遊技盤６の左側縁部分（左側の囲繞部材６８の側縁部分６８ｂが相当する）を除いた上方及び下方の左側縁部分に対応する位置関係をもって設けられている。
【００４４】
また、図１４に示すように、前記遊技盤装着枠部２１の右側縁部（図１４において左側縁部）には、上下の右側の係止部２８が枠内に向けて部分的に突出されている（図１６参照）。各右側の係止部２８は、前記遊技盤６（図１８参照）の右側の囲繞部材６９における各切欠き凹部６９ａに対し、相対的に嵌合可能でかつ該切欠き凹部６９ａにより露出されたベース板６０の右側縁部６０ａ４の前面に対して面接触状に当接可能に形成されている。すなわち、右側の係止部２８は、前記区画壁６１（図１８参照）の右側端部に近接する遊技盤６の右側縁部分（右側の囲繞部材６９の側縁部分６９ｂが相当する）を除いた上方及び下方の右側縁部分に対応する位置関係をもって設けられている。
なお、遊技盤装着枠部２１の各係止部２４，２５，２７，２８の前後方向の大きさは、遊技盤６の各囲繞部材６８，６９の高さｈ（図１９参照）とほぼ等しい大きさで形成されている。
【００４５】
また、図１５及び図１６に示すように、前記左右の各係止部２７，２８の前面（符号、２７ｃ、２８ｃを付す）は、遊技盤面に平行をなす平坦面で、かつ前記遊技盤装着枠部２１に前記遊技盤６を装着したときに前記各囲繞部材６８，６９の前面６８ｃ，６９ｃとほぼ同一平面をなすように形成されている。なお、前記上下の各係止部２４，２５の前面（符号、２４ｃ、２５ｃを付す。図９、図１３及び図１５参照）についても、左右の各係止部２７，２８の前面２７ｃ，２８ｃと同様に、遊技盤面に平行をなす平坦面で、かつ遊技盤装着枠部２１に遊技盤６を装着したときに各囲繞部材６８，６９の前面６８ｃ，６９ｃとほぼ同一平面をなすように形成されている。
【００４６】
さらに、図１２〜図１４に示すように，前記各係止部２４，２５，２７，２８は、前記遊技盤装着枠部２１とともに前記内枠体２０に一体形成されている。また、内枠体２０は、前記各囲繞部材６８，６９と同色又は類似色に着色されている。例えば、内枠体２０及び各囲繞部材６８，６９は、黒色あるいは黒色に近い暗色に着色されている。これにより、各囲繞部材６８，６９の表面と各係止部２４，２５，２７，２８の表面は、同色又は類似色をなしている。なお、本明細書でいう「囲繞部材６８，６９の表面」とは、少なくとも前面６８ｃ，６９ｃであり、それに連続した側面を含むことができる。また、本明細書でいう「係止部２４，２５，２７，２８の表面」とは、少なくとも前面２４ｃ，２５ｃ，２７ｃ，２８ｃ（図１３参照）であり、それに連続した側面を含むことができる。
【００４７】
また、各囲繞部材６８，６９と各係止部２４，２５，２７，２８の素材色が異なる場合には、各囲繞部材６８，６９の表面と各係止部２４，２５，２７，２８の表面の少なくとも一方に塗料を塗装したり、あるいは着色されたシールを接着したりして、各囲繞部材６８，６９の表面と各係止部２４，２５，２７，２８の表面を同色又は類似色にすることができる。
【００４８】
次に、前記内枠体２０の遊技盤装着枠部２１に対する前記遊技盤６の装着構造を詳述する。内枠体２０に対して機構盤３０が開かれた状態において、該内枠体２０の遊技盤装着枠部２１に後方から遊技盤６を嵌め込む（図７〜図１１参照）。このとき、遊技盤６のロックレバー６５は格納位置にあるものとする（図１８中、二点鎖線６５ａ参照）。なお、このままの状態では、遊技盤装着枠部２１から遊技盤６を後方へ抜き外すことができる。
【００４９】
上記したように、内枠体２０の遊技盤装着枠部２１に対して遊技盤６が嵌め込まれる。すると、遊技盤装着枠部２１の上側の係止部２４に対してベース板６０の上側縁部６０ａ１が当接されるとともに、該遊技盤装着枠部２１の下側の係止部２５に対してベース板６０の下側縁部６０ａ２の前面が当接される（図７、図８、図９参照）。また、遊技盤装着枠部２１の左側の係止部２７に対し、遊技盤６の左側の囲繞部材６８の各切欠き凹部６８ａが嵌合されかつベース板６０の左側縁部６０ａ３が当接される（図１１参照）。これとともに、遊技盤装着枠部２１の右側の係止部２８に対し、遊技盤６の右側の囲繞部材６９の各切欠き凹部６９ａが嵌合されかつベース板６０の右側縁部６０ａ４が当接される（図１１参照）。したがって、遊技盤装着枠部２１の各係止部２４，２５，２７，２８によって、ベース板６０の前方への移動が規制され、ひいては遊技盤６の前方への移動が規制されることになる。
【００５０】
続いて、前記遊技盤６のロックレバー６５をロック位置に回動させることにより、遊技盤装着枠部２１における各開口孔２６ａの口縁部の前面に対し、該ロックレバー６５の係止端部６５ａが面接触状に係合される（図２参照）。なお、遊技盤６を取外す際には、ロックレバー６５を格納位置（図１８中、二点鎖線６５ａ参照）に切り替えればよい。
その後、前記内枠体２０に前記機構盤３０を閉じた状態で、締付具２９（図６参照）が締付けられる。これによって、機構盤３０が閉じ状態に保持されるとともに、ベース板６０が遊技盤装着枠部２１の各係止部２４，２５，２７，２８に押付けられて固定されることによって、遊技盤６が固定状態に保持される（図７〜図１１参照）。
【００５１】
上記したパチンコ機１によると、遊技盤６の前面における左側縁部及び右側縁部に対応する遊技盤装着枠部２１の左右それぞれの上下の各係止部２７，２８が、区画壁６１の当該側端部に近接する遊技盤６の側縁部分（左右の囲繞部材６８，６９の側縁部分６８ｂ，６９ｂ（図１８参照）が相当する）を除いた上方及び下方の側縁部分に対応する位置関係をもって設けられている（図１２〜図１４参照）。このため、従来では小さい外形（図１８に二点鎖線６１Ｘ）にせざるを得なかった区画壁６１の外形（外径）を、図１８に実線６１で示すように拡大することができ、ひいては遊技領域６３を拡大することが可能となる。また、これとともに、パチンコ機１の横幅の拡大や、遊技盤６（詳しくはベース板６０）の歪みの発生等の不具合も回避することができる。
【００５２】
また、遊技盤６の遊技領域６３外に設けられた左右の囲繞部材６８，６９に設けられた受入凹部である切欠き凹部６８ａ，６９ａに左右それぞれの上下の各係止部２７，２８が受入れられ、該係止部２７，２８とベース板６０の左側縁部６０ａ３及び右側縁部６０ａ４の前面とが当接し合う。これによって、左右の囲繞部材６８，６９が突設された遊技盤６において凹凸嵌合による簡単な構造で遊技盤６の前方への移動を確実に規制することができる。また、両囲繞部材６８，６９に各係止部２７，２８を直接的に当接させる場合に予測される両囲繞部材６８，６９の前面側の撓みや割れ等の不具合の発生を防止あるいは低減することができる。なお、両囲繞部材６８，６９に各係止部２７，２８を直接的に当接させる構成としてもよい。
【００５３】
また、遊技盤装着枠部２１に遊技盤６を装着したときに、遊技盤６の各囲繞部材６８，６９の前面６８ｃ，６９ｃと、遊技盤装着枠部２１の各係止部２４，２５，２７，２８の前面２４ｃ，２５ｃ，２７ｃ，２８ｃとが、ほぼ同一平面をなすことなる（図７、図８、図９及び図１１参照）。これにより、各囲繞部材６８，６９の前面６８ｃ，６９ｃと遊技盤装着枠部２１の各係止部２４，２５，２７，２８の前面２４ｃ，２５ｃ，２７ｃ，２８ｃが、違和感の軽減された意匠を呈することができる。
【００５４】
また、各囲繞部材６８，６９の表面と各係止部２４，２５，２７，２８の表面が、同色又は類似色をなしている。これにより、遊技盤６の囲繞部材６８，６９の表面と遊技盤装着枠部２１の係止部２７，２８の表面が違和感の軽減された意匠を呈することができる。
【００５５】
また、各係止部２４，２５，２７，２８が、遊技盤装着枠部２１に一体形成されている（図１２〜図１４参照）。これにより、遊技盤装着枠部２１に別部品としての各係止部２４，２５，２７，２８を組付ける場合に比べて、部品点数及び組付工数を削減することができる。
【００５６】
また、前記遊技盤６の左上隅角部すなわちベース板６０の左上隅角部には、前記内枠体２０の遊技盤装着枠部２１に形成される配線用枠部２２を回避するための配線用凹部６０ｅが切欠き状に形成されている（図１参照）。このため、機構盤３０の左上部に設けられた中継基板５３，５４（図６参照）から開閉扉８０のランプ等（後述する）への配線Ｗ（図１参照）を、内枠体２０の配線用枠部２２の配線挿通孔２２ａに通すことにより、該配線Ｗの取り回しを容易に行うことができる。ちなみに、従来では遊技盤６の下方を横切るようにして前記配線が煩雑に取り回されていたが、上記したように遊技盤６の配線用凹部６０ｅ内（詳しくは、配線用枠部２２の配線挿通孔２２ａ）を利用することによって、前に述べたように前記配線Ｗの取り回しを容易に行うことができる。
さらに、前記遊技盤６の配線用凹部６０ｅが該遊技盤６の上端側に形成されているので、遊技盤６の上半部に集中する多くの配線Ｗ（開閉扉８０のランプ等（後述する）にかかる配線）に必要とされる長さを短縮することかできる。
また、前記遊技盤６の配線用凹部６０ｅが内枠体２０のヒンジ側（本実施の形態の場合、左側）に形成されているので、外枠体１０に対する内枠体２０の開閉にともなう配線Ｗの伸縮量を短縮することができる。
【００５７】
次に、前記開閉扉８０の扉装飾体９０及び該扉装飾体９０にかかる発光装飾装置の構成を詳述する。図２１に示すように、開閉扉８０の扉装飾体９０は、遊技領域視認窓８０ａの左右上下を取り囲む左側の装飾部１００と右側の装飾部１１０と上側の装飾部１２０と下側の装飾部１３０とによって構成されている。これら装飾部材１００，１１０，１２０，１３０の口縁部には、環状のモール９１が取り付けられている。モール９１は、複数（例えば、左右上下の計４個）に分割された金属製のモール材９２，９３，９４，９５の組合わせによって一連状に形成されている。
【００５８】
前記モール９１の内周縁によって、開閉扉８０の遊技領域視認窓８０ａの輪郭形状９６が次に詳述するように所定形状に形成されている。遊技領域視認窓８０ａの輪郭形状９６は、前記遊技盤６の区画壁６１（図１８参照）における大半を占める外径の円周線（基準円と呼ぶ）ＣＬに準ずる異形の円環状に形成されている。詳しくは、輪郭形状９６の左右側部における上下方向の中央部９６ｂ，９６ｆは、基準円ＣＬ上にほぼ位置している。また、輪郭形状９６のうち対角状に位置する左下部９６ａ及び右上部９６ｅは、基準円ＣＬよりも外方へ膨出されている。なお、輪郭形状９６の左下部９６ａ及び右上部９６ｅは、それぞれ本明細書でいう「膨出部」に相当する。
また、輪郭形状９６のうち対角状に位置する左上部における下半部９６ｃ及び右下部における上半部９６ｈは、前記左下部９６ａ及び右上部９６ｅの膨出量よりも小さい膨出量をもって基準円ＣＬよりも外方に膨出されている。なお、輪郭形状９６の左上部における下半部９６ｃ及び右下部における上半部９６ｈは、それぞれ本明細書でいう「膨出部」に相当する。
また、輪郭形状９６のうち対角状に位置する左上部における上半部９６ｄ及び右下部における下半部９６ｉは基準円ＣＬよりも僅かに内方に絞られている。
【００５９】
上記輪郭形状９６は、周方向に亘ってなだらかに連続する曲線によって連続されており、上下方向の中央部９６ｂ，９６ｆを絞った中絞り状でかつ左右非対称及び上下非対称をなす、いわゆる「鏡餅形状」あるいは「ひょうたん形状」あるいは「まゆ玉形状」に類似する異形の円環状に形成されている。
さらには、輪郭形状９６の四隅部（左上部、右上部、左下部、右下部の四隅が相当する）のうちの対角状をなす左下部９６ａ及び右上部９６ｅが前記基準円ＣＬより外方へ膨出した概念的には平行四辺形状にも類似する形状をなしている。
また、輪郭形状９６の左下部９６ａ、中央部９６ｂ及び左上部の下半部９６ｃと、右上部９６ｅ、中央部９６ｆ及び右下部の上半部９６ｈは、波状の曲線部（９６ａ−ｂ−ｃ，９６ｅ−ｆ−ｈと記す）によって連続されている。
上記のように、遊技領域視認窓８０ａの輪郭形状９６は、上下方向の中央部９６ｂ，９６ｆを絞った異形の円環状に形成されているので、一般的なパチンコ機に見られる円環状、あるいは四角形状等の輪郭形状に比べると、斬新で特異な輪郭形状９６を呈する。したがって、斬新で特異な輪郭形状９６を呈する遊技領域視認窓８０ａを備えたパチンコ機１を提供することができる。
【００６０】
また、前記遊技領域視認窓８０ａの輪郭形状９６が波状の曲線部（９６ａ−ｂ−ｃ，９６ｅ−ｆ−ｈ）を含んでいることによっても、斬新で特異な輪郭形状９６を呈することができる。
【００６１】
また、前記遊技領域視認窓８０ａの輪郭形状９６が左右方向に関して非対称状に形成されていることによっても、斬新で特異な輪郭形状９６を呈することができる。
【００６２】
また、前記遊技領域視認窓８０ａの輪郭形状９６が上下方向に関して非対称状に形成されていることによっても、斬新で特異な輪郭形状９６を呈することができる。
【００６３】
また、前記遊技領域視認窓８０ａの輪郭形状９６が対角状に位置する膨出部（左下部９６ａ及び右上部９６ｅ、左上部における下半部９６ｃ及び右下部における上半部９６ｈ）を有していることによっても、斬新で特異な輪郭形状９６を呈することができる。
さらに、輪郭形状９６の膨出部（左下部９６ａ及び右上部９６ｅ、左上部における下半部９６ｃ及び右下部における上半部９６ｈ）は、遊技領域視認窓８０ａの視認可能な範囲を部分的に拡大することができる。
【００６４】
また、輪郭形状９６の左下部９６ａ及び右上部９６ｅは、前記基準円ＣＬ（図２１参照）から外方への膨出量を大きくしたことにより、前記遊技盤６（図１８参照）の区画壁６１外すなわち遊技領域６３外の左右の囲繞部材６８，６９の当該部分を前記透視板８４を透して視認することができる。
【００６５】
なお、上記した遊技領域視認窓８０ａの輪郭形状９６は、次のように変更することができる。例えば、遊技領域視認窓８０ａの輪郭形状９６の左上部における上半部９６ｄ及び右下部における下半部９６ｉのいずれか一方のみを絞る形状としてもよい。これとともに、前記遊技領域視認窓８０ａの輪郭形状９６が波状の曲線部９６ａ−ｂ−ｃ，９６ｅ−ｆ−ｈを一方は省略することができる。また、遊技領域視認窓８０ａの輪郭形状９６を左右方向に関して非対称状でなく、対称状に形成してもよい。また、遊技領域視認窓８０ａの輪郭形状９６を上下方向に関して非対称状でなく、対称状に形成してもよい。また、遊技領域視認窓８０ａの輪郭形状９６の膨出部は、左下部９６ａ、右上部９６ｅ、左上部における下半部９６ｃ、右下部における上半部９６ｈのうち、少なくとも一箇所のみが膨出部であればよい。また、遊技領域視認窓８０ａの輪郭形状９６の左上部における上半部９６ｄ及び右下部における下半部９６ｉは、遊技領域６３がほとんど隠れない形状であってもよい。
【００６６】
ところで、遊技盤６の遊技領域６３外には、「遊技者向け情報」（図２１中、二点鎖線Ｚｂ参照）と「検査者向け情報」（図２１中、二点鎖線Ｚａ参照）とを表示する必要がある。「遊技者向け情報」（図２１中、二点鎖線Ｚｂ参照）とは、当該パチンコ機１の機種名、出球確率、賞球数、確率変動割合、リミッタの有無等の情報である。また、「検査者向け情報」（図２１中、二点鎖線Ｚａ参照）とは、パチンコ機１の検査に必要とされる各種情報である。なお、各情報は、各情報を記載したそれぞれの識別シール、証紙等を遊技盤６の遊技領域６３外に貼付することによって表示されている。
そこで、例えば、「検査者向け情報」（図２１中、二点鎖線Ｚａ参照）を、前記遊技領域視認窓８０ａの輪郭形状９６の対角状をなす膨出部のうちの一方、例えば左下部９６ａ内で視認可能な部位、すなわち左側の囲繞部材６８の当該部分に表示することができる。また、「遊技者向け情報」（図２１中、二点鎖線Ｚｂ参照）を、前記遊技領域視認窓８０ａの輪郭形状９６の対角状をなす膨出部のうちの他方、例えば右上部９６ｅ内で視認可能な部位、すなわち右側の囲繞部材６９の当該部分に表示することができる。
したがって、輪郭形状９６の膨出部（左下部９６ａ、右上部９６ｅ）内の視認可能な部位に、検査者向け情報（図２１中、二点鎖線Ｚａ参照）、遊技者向け情報（図２１中、二点鎖線Ｚｂ参照）等を配置することにより、それらの情報を容易に視認可能に表示することができる。
【００６７】
さらに、前に述べたように、「遊技者向け情報」（図２１中、二点鎖線Ｚｂ参照）は、遊技者から見やすい位置すなわち遊技者の通常の目線高さに近い位置である、前記輪郭形状９６の右上部９６ｅ内に表示することができる。これとともに、遊技者が必要としない「検査者向け情報」（図２１中、二点鎖線Ｚａ参照）は、遊技者から見えにくい位置すなわち遊技者の通常の目線高さ及び「遊技者向け情報」から遠く離れた位置である、前記輪郭形状９６の左下部９６ａ内に表示することができる。
なお、上記した「遊技者向け情報」（図２１中、二点鎖線Ｚｂ参照）と「検査者向け情報」（図２１中、二点鎖線Ｚａ参照）とは、上記と逆配置で表示することもできる。
【００６８】
また、従来の遊技領域視認窓の輪郭形状が円環状である場合には、各情報Ｚａ，Ｚｂを表示するために、開閉扉８０に対して遊技領域視認窓とは別に当該情報を表示するための情報表示窓をわざわざ設ける必要があったが、本実施の形態によればそのような専用の遊技領域視認窓部を形成する必要がない。
また、従来の遊技領域視認窓の輪郭形状が四角形状等である場合は、各情報を表示するための情報表示窓を設けることなく、当該情報を表示することができる。しかし、この場合、デザインを施すことのできる扉装飾体における遊技領域視認窓の周囲に装飾を施すための装飾面積が大幅に制限されてしまうので、これまたパチンコ機の意匠に斬新さを求めることができないが、本実施の形態によればデザインを施すことのできる扉装飾体９０の装飾面積の制限を最小限にして、パチンコ機１の意匠を斬新なものとすることができる。
【００６９】
また、前記遊技領域視認窓８０ａの輪郭形状９６の右上部９６ｅに代えてその左上部（下半部９６ｃ及び上半部９６ｄ）を前記基準円ＣＬ（図２１参照）より外方へ膨出してもよい。また、その輪郭形状９６の左下部９６ａに代えてその右下部（上半部９６ｈ及び下半部９６ｉ）を基準円ＣＬよりも外方に膨出してもよい。すなわち、遊技領域視認窓８０ａの輪郭形状９６における対角状をなす部分（例えば、左下部９６ａ及び右上部９６ｅ、又は、左上部及び右下部）が、基準円ＣＬよりも外方へ膨出した形状であれば、前記と同様の作用・効果を得ることができる。
【００７０】
また、前記遊技領域視認窓８０ａの輪郭形状９６の左上部における上半部９６ｄ及び右下部における下半部９６ｉが基準円ＣＬよりも僅かに内方に絞られているため、当該部分における遊技領域６３が僅かに隠れる形状、すなわち遊技に支障をきたさない程度に隠る形状としている。このことによっても、遊技領域視認窓８０ａの輪郭形状９６が斬新な形状といえる。
【００７１】
しかして、図２１に示すように、前記モール９１は、前記遊技領域視認窓８０ａの輪郭形状９６に沿って形成されていることにより、モール９１の稜線９１ｒが周方向に波形状に曲がりくねった形状となっている。
さらに、図２１に示すように、モール９１は、前方へほぼ山形状に突出する断面Ｖ字状に形成されている（図７〜図１１参照）。モール９１の前面側の内外の両斜面９１ａ，９１ｂは、鏡面いわゆる反射面（斜面と同一符号を付す）として形成されている。これにより、モール９１の内側の斜面である内向き反射面９１ａは、前記遊技領域視認窓８０ａの内周側前方に指向しているため、主に遊技領域６３を反射するすなわち映し出すことにより該遊技領域６３を広く見せることができる。また、外側の斜面である外向き反射面９１ｂは、前記遊技領域視認窓８０ａの外周側前方に指向しているため、主に外周の扉装飾体９０の前面すなわち装飾面を遊技者及びその遊技者の居る通路を通る通行者に向けて反射するすなわち映し出すことにより、パチンコ機１の装飾性を高めることができる。
上記したように、輪郭形状９６に沿った内向き反射面９１ａ及び外向き反射面９１ｂを有するモール９１によって、遊技領域視認窓８０ａの斬新で特異な輪郭形状を一層きわだてることができる。ひいては、パチンコ機１の遊技の興趣を高めることが可能である。
なお、上記したモール９１の内向き反射面９１ａ及び外向き反射面９１ｂの一方は省略することができる。また、モール９１の反射面９１ａは、傾斜しない反射面、すなわち遊技機の前方に面する反射面、遊技領域視認窓８０ａの内周側に面する反射面の少なくとも一方の反射面によって構成してもよい。
【００７２】
さらに、前記遊技領域視認窓８０ａの輪郭形状９６（図２１参照）の形状に応じて、前記モール９１の稜線９１ｒの高さ（前方への突出量）が周方向に変化し（図７〜図１１参照）、これとともにモール幅（稜線９１ｒに交差する方向の幅）が周方向に変化している。これにより、モール９１が周方向に変則的な立体感を呈する形状となっている。
【００７３】
また、図２１に示すように、前記扉装飾体９０を構成する各装飾部１００，１１０，１２０，１３０の相互の区画線Ｃ１，Ｃ２，Ｃ３，Ｃ４は、前記モール９１の外形に連続する湾曲形状に形成されている。すなわち、左側の装飾部１００と上側の装飾部１２０との区画線Ｃ１は、モール９１の左上部から上左方へ向かって左カーブを描いて湾曲している。また、上側の装飾部１２０と右側の装飾部１１０との区画線Ｃ２は、モール９１の右上部９６ｅから上右方へ向かって右カーブを描いて湾曲している。また、右側の装飾部１１０と下側の装飾部１３０との区画線Ｃ３は、モール９１の右下部から下方へ向かって左カーブを描いて湾曲している。また、下側の装飾部１３０と左側の装飾部１００との区画線Ｃ４は、前記モール９１の左下部９６ａから下方へ向かって右カーブを描いて湾曲している。
【００７４】
前記左側の装飾部１００及び前記右側の装飾部１１０は、その中央部が遊技領域視認窓８０ａの輪郭形状９６に準じる形状で前方に向けて断面凸型円弧状に隆起する断面形状で形成されている（図２２及び図２３参照）。左右の装飾部１００，１１０の稜線１００ｒ，１１０ｒ（図２１に仮想線で示す）は、前記モール９１の稜線９１ｒよりも高く、縦方向に波形状に変化している（図７及び図８参照）。さらに、左側の装飾部１００の稜線１００ｒは、前記モール９１の左側部の外形形状に対して緩やかに倣う形状で形成されている。また、右側の装飾部１１０の稜線１１０ｒは、前記モール９１の右側部の外形形状に対して緩やかに倣う形状で形成されている。
上記したように、遊技領域視認窓８０ａの周囲すなわち左右両側には、モール９１すなわち遊技領域視認窓８０ａの輪郭形状９６に準じる形状でかつ前方へ隆起する装飾部１００，１１０が設けられている。これにより、遊技領域視認窓８０ａの左右両側に立体感のある装飾を施すことができる。
【００７５】
しかして、前記左側の装飾部１００の稜線１００ｒの上下の各端部が左方に向けられているとともに、前記右側の装飾部１１０の稜線１１０ｒの上下の各端部が右方に向けられている。これにより、図３２に示すように、ホール等においてパチンコ機１を複数並べた際に、左右に隣合うパチンコ機１における左側の装飾部１００の稜線１００ｒと右側の装飾部１１０の稜線１１０ｒが互いに連続状をなすように形成されている。したがって、ホール等に複数のパチンコ機１を相互に連続する意匠をもって設置することができる。なお、図３２において、パチンコ機１の相互間には、カード式球貸機２００が挟まれた状態で配置されている。
【００７６】
図２１に示すように、前記左側の装飾部１００には、その稜線１００ｒに沿って一連状をなす上中下の３本の樹脂製の左側レンズ１０２ａ，１０２ｂ，１０２ｃが設けられている（図２０参照）。各左側レンズ１０２ａ，１０２ｂ，１０２ｃは、例えば赤色の拡散レンズで縦長状に形成されており、左側の装飾部１００に開口されたそれぞれのレンズ取付孔（符号省略）に対してそれぞれ嵌合した状態で装着されている（図２２及び図２３参照）。また、各左側レンズ１０２ａ，１０２ｂ，１０２ｃの横幅（図２１において左右方向の幅）は、当該稜線１００ｒの湾曲の度合に応じて増減されている。これにより、各左側レンズ１０２ａ，１０２ｂ，１０２ｃが縦方向に変則的な立体感を呈する形状となっている。なお、各左側レンズ１０２ａ，１０２ｂ，１０２ｃが縦方向に複数（本実施の形態では３個を示す）に分割されていることにより、一本につながったレンズに比べて、装飾性をほとんど損なうことなく、レンズ強度を確保するとともに、各左側レンズ１０２ａ，１０２ｂ，１０２ｃの成形性を向上することができる。
【００７７】
図２１に示すように、前記左側の装飾部１００には、上部に配置された左側レンズ１０２ａを間に、左右の樹脂製の上部レンズ１０３ａ，１０３ｂが設けられている（図２０参照）。各上部レンズ１０３ａ，１０３ｂは、例えば白色の拡散レンズで形成されており、左側の装飾部１００に開口されたそれぞれのレンズ取付孔（符号省略）に対してそれぞれ嵌合した状態で装着されている（図２２参照）。また、各上部レンズ１０３ａ，１０３ｂは、上部の左側レンズ１０２ａに対して相互に所定間隔を隔てて配置されており、当該左側レンズ１０２ａの当該側縁部の形状に対して緩やかに倣うほぼ三日月形状に形成されている。また、各上部レンズ１０３ａ，１０３ｂの横幅（図２１において左右方向の幅）は、当該稜線１００ｒの湾曲の度合に応じて増減されている。これにより、各上部レンズ１０３ａ，１０３ｂが縦方向に変則的な立体感を呈する形状となっている。
【００７８】
図２２及び図２３に示すように、前記扉本体８２の前面側には、前記左側の装飾部１００で取り囲まれた空間部１０４が形成されている。そして、扉本体８２の前面側には、前記各左側レンズ１０２ａ，１０２ｂ，１０２ｃにそれぞれ対応する各ランプ基板１０５（下部の左側レンズ１０２ｃに対応するランプ基板は図示されていない）と、前記各上部レンズ１０３ａ，１０３ｂにそれぞれ対応する各ランプ基板１０７が配置されている。各ランプ基板１０５，１０７の前面側には、それぞれ当該レンズ形状及び面積に対応する所定数（例えば、３〜１２個）の各ランプ１０６，１０８が配置されている。各ランプ１０６，１０８には、例えば、発光ダイオード（ＬＥＤと呼ばれている）が採用されている。各ランプ１０６，１０８が点灯することにより、そのランプ１０６，１０８から出射される光が当該レンズ１０２ａ，１０２ｂ，１０２ｃ，１０３ａ，１０３ｂを透して前方へ拡散され、該レンズ全体が明るく照らし出される。このため、例えばホールの島の間を歩行する遊技者がパチンコ機１を左方又は右方から見る角度によって、各レンズ１０２ａ，１０２ｂ，１０２ｃ，１０３ａ，１０３ｂがほぼ波形状に照らし出されることにより、電飾効果を高めることができる。また、各左側レンズ１０２ａ，１０２ｂ，１０２ｃのランプ１０６は、例えば所定時間毎に点灯、消灯を繰り返すようになっている。また、各上部レンズ１０３ａ，１０３ｂのランプ１０８は、例えば、賞球にかかるエラー時、賞球払出時、ガラス枠の開放時、球切れ時等に点灯あるいは点滅するようになっている。
【００７９】
図２１に示すように、前記各左側レンズ１０２ａ，１０２ｂ，１０２ｃと前記モール９１との間における左側の装飾部１００の縦方向部分（符号、１０９を付す）は、その左右方向の中央部が前方に向けて断面凸型Ｖ字状に隆起する断面形状で形成されている。その縦方向部分１０９の稜線１０９ｒの高さは、縦方向に波形状に変化している。
【００８０】
図２１に示すように、前記右側の装飾部１１０には、その稜線１１０ｒに沿って一連状をなす上中下の３本の樹脂製の右側レンズ１１２ａ，１１２ｂ，１１２ｃが設けられている（図２０参照）。各右側レンズ１１２ａ，１１２ｂ，１１２ｃは、前記左側の装飾部１００の左側レンズ１０２ａ，１０２ｂ，１０２ｃと同様に、例えば赤色の拡散レンズで形成されており、右側の装飾部１１０に開口されたそれぞれのレンズ取付孔（符号省略）に対してそれぞれ嵌合した状態で装着されている（図２２及び図２３参照）。また、各右側レンズ１１２ａ，１１２ｂ，１１２ｃの横幅（図２１において左右方向の幅）は、当該稜線１１０ｒの湾曲の度合に応じて増減されている。これにより、各右側レンズ１１２ａ，１１２ｂ，１１２ｃが縦方向に変則的な立体感を呈する形状となっている。なお、各右側レンズ１１２ａ，１１２ｂ，１１２ｃは、前記各左側レンズ１０２ａ，１０２ｂ，１０２ｃと同様、装飾性をほとんど損なうことなく、レンズ強度を確保するとともに、各右側レンズ１１２ａ，１１２ｂ，１１２ｃの成形性を向上することができる。
【００８１】
図２２に示すように、前記右側の装飾部１１０には、上部に配置された右側レンズ１１２ａを間に、左右の音透し孔１１１ａ，１１１ｂが設けられている。また、各音透し孔１１１ａ，１１１ｂは、上部の右側レンズ１１２ａ，１１２ｂに対して相互に所定間隔を隔てて形成されており、当該右側レンズ１１２ａの当該側縁部の形状に対して緩やかに倣うほぼ三日月形状に形成されている（図２１参照）。また、各音透し孔１１１ａ，１１１ｂの横幅（図２１において左右方向の幅）は、当該稜線１１０ｒの湾曲の度合に応じて増減されている。
【００８２】
図４に示すように、前記各音透し孔１１１ａ，１１１ｂは、前記内枠体２０に装着されたスピーカ５６のほぼ前方に位置している（図４参照）。しかして、図９に示すように、前記扉本体８２には、前記スピーカ５６に対応するスピーカ用開口孔（符号省略）が形成されている。このため、前記スピーカ５６から発せられる音が、扉本体８２のスピーカ用開口孔、右側の装飾部１１０内の空間部１１４（後述する）、及び、各音透し孔１１１ａ，１１１ｂを透して、前方（図２１において右方）へ放射されやすくなっている。
また、各音透し孔１１１ａ，１１１ｂの間の上部の右側レンズ１１２ａとスピーカ５６とが相前後して重畳配置されている（図４参照）。これにより、スピーカ５６を合理的に配置することができ、該スピーカ５６の配置スペースを削減することができる。
【００８３】
図２２及び図２３に示すように、前記扉本体８２の前面側には、前記右側の装飾部１１０で取り囲まれた空間部１１４が形成されている。そして、扉本体８２の前面側には、前記各右側レンズ１１２ａ，１１２ｂ，１１２ｃにそれぞれ対応する各ランプ基板１１５（下部の右側レンズ１１２ｃに対応するランプ基板は図示されていない）が配置されている。各ランプ基板１１５の前面側には、それぞれ当該レンズ形状及び面積に対応する所定数（例えば、６〜１２個）の各ランプ１１６が配置されている。各ランプ１１６には、例えば、前記ランプ１０６、１０８と同様に、発光ダイオード（ＬＥＤと呼ばれている）が採用されている。また、例えばホールの島の間を歩行する遊技者がパチンコ機１を左方又は右方から見る角度によって、各右側レンズ１１２ａ，１１２ｂ，１１２ｃがほぼ波形状に照らし出されることにより、電飾効果を高めることができる。また、各右側レンズ１１２ａ，１１２ｂ，１１２ｃの各ランプ１１６は、例えば所定時間毎に点灯、消灯を繰り返すようになっている。また、各ランプ１１６から発せられる熱が、右側の装飾部１１０内の空間部１１４から前記各音透し孔１１１ａ，１１１ｂを通して外部に放出される。したがって、音透し孔１１１ａ，１１１ｂに放熱孔の機能を兼備させることができる。なお、音透し孔１１１ａ，１１１ｂと同様に、前記左側の装飾部１００に放熱孔を設けることもできる。また、音透し孔１１１ａ，１１１ｂの形状、個数等は適宜変更することができる。
【００８４】
図２２及び図２３に示すように、前記各右側レンズ１１２ａ，１１２ｂ，１１２ｃと前記モール９１との間における右側の装飾部１１０の縦方向部分（符号、１１９を付す）は、その左右方向の中央部が前方に向けて断面凸型Ｖ字状に隆起する断面形状で形成されている。その縦方向部分１１９の稜線１１９ｒの高さは縦方向に波形状に変化している。
【００８５】
図２１に示すように、前記上側の装飾部１２０には、前記モール９１の上縁部に沿う樹脂製のトップレンズ１２３が設けられている。トップレンズ１２３は、例えば無色透明のレンズで、図２６に示すように、中央部の稜線部１２３ｒ（後述する）が遊技領域視認窓８０ａの輪郭形状９６に準じる形状で前方へ向けてほぼ山形状に突出する断面Ｖ字状に形成されている。また、トップレンズ１２３は、図２５及び図２６に示すように、前記モール９１（図２１参照）の上縁部に沿う下縁部１２３ａと、その下縁部１２３ａの左端部から右端部に向けて二山状をなす上縁部１２３ｂと、左端部から右端部に向けて山形状をなしかつ波形状に曲がりくねった形状をなす稜線部１２３ｒとを有している。これにより、トップレンズ１２３が変則的な立体感を呈する形状となっている。また、トップレンズ１２３の左右端部を除いた稜線部１２３ｒの高さは、前記モール９１及び左右の各装飾部１００，１１０の稜線９１ｒ，１００ｒ，１１０ｒよりも高く、左右方向に緩やかな山形状に変化している（図７及び図８参照）。また、図２５に示すように、トップレンズ１２３の縦幅（図２５において上下方向の幅）は、当該稜線部１２３ｒの湾曲の度合に応じて増減されている。これにより、トップレンズ１２３の縦幅が横方向に変則的な立体感を呈する形状となっている。
上記したように、遊技領域視認窓８０ａの周囲すなわち上側には、モール９１すなわち遊技領域視認窓８０ａの輪郭形状９６に準じる形状でかつ前方へ隆起するトップレンズ１２３を有する上側の装飾部１２０が設けられている。これにより、遊技領域視認窓８０ａの上側に立体感のある装飾を施すことができる。
【００８６】
前記トップレンズ１２３は、図２６に示すように、上縁部１２３ｂ及び下縁部１２３ａから稜線部１２３ｒに向かって次第に肉厚が厚くなり、稜線部１２３ｒで最大肉厚となるように、光学プリズムを模した断面形状に形成されている。これにより、トップレンズ１２３に対し、ランプ１２６（後述する）から発せられる光線を屈折、拡散、内反射等により複合的に変化させる、いわゆるプリズム状の特性が付与されている。
また、トップレンズ１２３のトップレンズ１２３の下縁部１２３ａには、扉本体８２にネジ等の固定部材により固定される適数個（図２５では左右２個を示す）の取付片１２３ｃが一体形成されている。なお、取付片１２３ｃは、上側のモール材９４によって隠蔽される。
また、トップレンズ１２３の上縁部１２３ｂには、扉本体８２と上側の装飾部１２０との間に挟持される適数個（図２５では左右２個を示す）の挟持片１２３ｄが一体形成されている。なお、挟持片１２３ｄは、上側の装飾部１２０によって隠蔽される。
【００８７】
図２４に示すように、前記扉本体８２の前面側には、前記トップレンズ１２３で取り囲まれた空間部１２４が形成されている。そして、前記扉本体８２の前面側には、トップレンズ１２３に対応しかつ左右方向に分割された複数枚（例えば、４枚）のランプ基板１２５が配置されている（図２１参照）。各ランプ基板１２５の前面側には、それぞれ当該レンズ形状及び面積に対応する所定数（例えば、８〜１２個）のランプ１２６が配置されている（図２４参照）。各ランプ１２６には、例えば、発光ダイオード（ＬＥＤと呼ばれている）が採用されている。
また、扉本体８２には、前記空間部１２４内において各ランプ基板１２５のランプ１２６を覆うほぼ平板状のカバーレンズ１２７が装着されている。カバーレンズ１２７は、例えば無色透明の拡散レンズで形成されている。
【００８８】
前記各ランプ１２６が点灯することにより、そのランプ１２６から出射される光線が前記カバーレンズ１２７を透して前方へ拡散され、さらに前記トップレンズ１２３を透して前方及び左右上下方向へ様々に屈折、分散され、該レンズ全体が明るく照らし出される。このため、例えばホールの島の間を歩行する遊技者がパチンコ機１を左方又は右方から見る角度によって、トップレンズ１２３の稜線部１２３ｒの周辺部のプリズム特性によってランプ１２６の光線が様々に照らし出されることにより、電飾効果を高めることができる。また、パチンコ機１の左右の側方からトップレンズ１２３を見ると、そのレンズの上下の各斜面部（符号、１２３ｅ，１２３ｆを付す）が光ることにより、発光装飾効果が高まる。また、トップレンズ１２３の稜線部１２３ｒが湾曲しているため、その湾曲形状に応じて、特有の模様が光ることによっても、発光装飾効果が高まる。また、トップレンズ１２３のランプ１２６は、例えば所定時間毎に点灯、消灯を繰り返すようになっている。
【００８９】
さらに、前記各ランプ基板１２５には、それぞれ異なる色に点灯するランプ１２６、例えば左のランプ基板１２５から右へ順に、例えば青色、緑色、黄色、赤色に点灯するそれぞれのランプ１２６が採用されている。このため、ランプ基板１２５毎のランプ１２６を、適宜選択的に点灯、消灯することにより、装飾効果を高めることができる。その各ランプ１２６は、例えば青色、緑色、黄色、赤色のうち、選択的に１色ずつ、あるいは２色ずつ、あるいは３色ずつ点灯したり、全色点灯したり、消灯したりする等の点灯、消灯の方法が考えられる。また、例えばホールの島の間を歩行する遊技者がパチンコ機１を左方又は右方から見る角度によって、トップレンズ１２３の稜線部１２３ｒの周辺部のプリズム特性によって、各色のランプの光線が様々に照らし出されたり、複数の色の光線が混ざって中間色が照らし出されたりすることにより、電飾効果を高めることができる。
また、１枚のランプ基板１２５に対し異なる色の複数のランプ１２６を規則的あるいはランダムに配置することもできる。また、ランプ基板１２５の枚数、ランプ１２６の色数は、適宜増減することができる。
【００９０】
さらに、図２１に示すように、前記上側の装飾部１２０には、前記トップレンズ１２３の上縁部１２３ｂ（図２５参照）に倣うほぼ三日月形状の波形隆起部１２１が形成されている。波形隆起部１２１は、前方へほぼ山形状に突出する断面Ｖ字状（図２４参照）に形成されており、その稜線１２１ｒの高さは左右方向に緩やかな山形状（図２１参照）に変化している。
【００９１】
図２１に示すように、前記上側の装飾部１２０には、前記左側の装飾部１００と前記トップレンズ１２３との間に位置しかつ該左側の装飾部１００の右側の上部レンズ１０３ｂに倣うほぼ三日月形状の左側隆起部１２８が形成されている。
さらに、上側の装飾部１２０には、前記右側の装飾部１１０と前記トップレンズ１２３との間に位置しかつ該トップレンズ１２３の右側部にほぼ倣う形状の右側隆起部１２９が形成されている。それらの各隆起部１２８，１２９の周囲１２８ａ，１２９ａは窪んでおり、両左側隆起部１２８の膨らみ感が増加されている。
【００９２】
前記下側の装飾部１３０は、前記左側の装飾部１００及び前記右側の装飾部１１０とほぼ同様に、その中央部が遊技領域視認窓８０ａの輪郭形状９６に準じる形状で前方に向けて断面凸型円弧状に隆起する断面形状で形成されている（図７及び図８参照）。図２１に示すように、前記下側の装飾部１３０に形成されたほぼ三角形状の取付孔（符号省略）には操作ユニット１４０が嵌め込んだ状態で装着されている。操作ユニット１４０は、その中央部に配置された残度数表示器１４１と、その表示器１４１の左隣りに配置された球貸ボタン１４２と、残度数表示器１４１の右隣りに配置された返却ボタン１４３とを備えている。残度数表示器１４１は、例えば７セグメントＬＥＤを３個用いて３桁の数字を表示可能に構成されており、前記カード式球貸機２００（図３２参照）にセット、いわゆる挿入されたプリペイドカードの残度数（例えば、百円単位の残高）を表示する。また、球貸ボタン１４２を押すと、前記プリペイドカードの残度数内において所定数（例えば、５００円分相当の球数）のパチンコ球が払出される。また、返却ボタン１４３を押すと、前記カード球貸機２００内に入っているプリペイドカードが返却、すなわち遊技者が受け取れるように押し出される。なお、球貸ボタン１４２及び返却ボタン１４３を操作ユニット１４０の外形とほぼ相似形をなす形状とすることにより、パチンコ機１のデザインが向上されている。
【００９３】
図４に示すように、前記扉装飾体９０は、前記モール９１、前記各装飾部１００，１１０，１２０，１３０、トップレンズ１２３等の凹凸形状によって、特異なレリーフ調のデザインがかもしだされている。
また、前記扉装飾体９０は左右非対称形状のデザインであるため、これまた特異なデザインといえる。なお、各装飾部１００，１１０，１２０，１３０の形状、大きさ、各レンズの形状、大きさ、配置等のうち、少なくともいずれかが非対称形状であればよい。また、各レンズ、及び、ランプを備えたランプ基板は本明細書でいう「発光装飾装置」を構成している。また、扉装飾体９０の左側の装飾部１００、右側の装飾部１１０、トップレンズ１２３を有する上側の装飾部１２０、下側の装飾部１３０のうち少なくとも一つの装飾部は、前方に向けて隆起しない断面形状で形成してもよい。
【００９４】
また、前にも述べたように、ホール等においてパチンコ機１を並べた際に、左右に隣合うパチンコ機１における左側の装飾部１００の稜線１００ｒと右側の装飾部１１０の稜線１１０ｒとが互いに連続され、複数のパチンコ機１を相互に連続する意匠をもって設置することができる（図３２参照）。このため、島の印象を向上することができる。詳しくは、従来は左右対称状のデザインのパチンコ機１であったので、ホール等にパチンコ機１を並べた際に単調な印象が感じられたが、本実施の形態によれば、複数のパチンコ機１の協働によって繰り返し変化する連続パターンの意匠を表現することができるため、島の印象を向上することができる。
【００９５】
次に、前記操作ハンドル４４の構成を詳述する。図２９及び図３０に示すように、操作ハンドル４４は、その前半部分を形成する前半ハンドル部４５と、その後半部分を形成する後半ハンドル部４６と、その両ハンドル部４５，４６の間に回動操作可能に配置されたハンドルレバー４８とを備えている。両ハンドル部４５，４６は、例えば樹脂製で、その左側部にはほぼ翼状をなす指置き部４５ａ，４６ａが一体形成されている（図２９参照）。両ハンドル部４５，４６の指置き部４５ａ，４６ａが相互に一体的に接合されることにより、両ハンドル部４５，４６の相互間にハンドルレバー４８が回転可能に支持されている。後半ハンドル部４６の後面側には、前記下前板部材５８に設けられた貫通孔５８ｂ（図９参照）に挿入可能な嵌合筒部４６ｂが一体形成されている（図３０参照）。嵌合筒部４６ｂ内には、前記操作軸４０ａ（図１２参照）に対し嵌装によって連結可能な作動軸４７が軸受４７ａを介して回転可能に支持されている（図３０参照）。また、作動軸４７は、ハンドルレバー４８に対し同一軸線をなす状態で連結されている。さらに、後半ハンドル部４６の指置き部４６ａの後面側には、前記下前板部材５８に形成された取付孔（図示省略）に対し弾性変形を利用して係着可能なクリップ部４６ｃが一体形成されている（図２９参照）。
【００９６】
前記ハンドルレバー４８は、例えば樹脂製で、前記両ハンドル部４５，４６の外周上に突出するほぼ環状の操作リング部４８ａを有している（図２８〜図３０参照）。また、ハンドルレバー４８は、ばね（図示省略）により、常には図２８において左回り方向（矢印Ｙ参照）に付勢されており、図２８に示す待機位置に保持されている。
【００９７】
また、図３０に示すように、前記前半ハンドル部４５内には、電動式のバイブレータ４９が組込まれている。バイブレータ４９には、例えばスピーカ装置のコーンに錘を付加してなる構造のバイブレータが採用されており、そのコーンの振動を利用して振動を発生する。バイブレータ４９が発生した振動が両ハンドル部４５，４６及びハンドルレバー４８に伝達されるため、操作ハンドル４４を握る遊技者に振動を与えることができる。また、バイブレータ４９は、リーチ、大当たりの予告時等の所定時期に振動されるようになっている。
【００９８】
上記した操作ハンドル４４は、前記後半ハンドル部４６の嵌合筒部４６ｂが下前記下前板部材５８の貫通孔５８ｂ（図９参照）に挿入され、作動軸４７が前記内枠体２０の開口孔２０ａ内の操作軸４０ａ（図１２参照）と連動可能に連結される。これとともに、前記下前板部材５８に形成された取付孔（図示省略）に対し前記クリップ部４６ｃが弾性変形を利用して係着されることによって、該下前板部材５８に固定状に装着される（図１、図５及び図９参照）。
さらに、両ハンドル部４５，４６の指置き部４５ａ，４６ａの先端部は、前記下前板部材５８に形成された凹部５８ｄに対して嵌合されている（図２７及び図３１参照）。
【００９９】
上記した操作ハンドル４４によると、操作ハンドル４４を握る遊技者が、指置き部４５ａ，４６ａに親指を置くことができるので、遊技者の疲労を軽減することができる。
さらに、両ハンドル部４５，４６の指置き部４５ａ，４６ａの先端部が、下前板部材５８の凹部５８ｄに嵌合されている（図２７及び図３１参照）。このため、操作ハンドル４４の指置き部４５ａ，４６ａを強固に支持することができる。
【０１００】
また、例えば、下前板部材５８に取り付けられる操作ハンドル４４にバイブレータ４９が組込まれた操作ハンドル４４と、バイブレータ４９を省いた操作ハンドル４４とを用意しておけば、操作ハンドル４４のみの小変更で、バイブレータ付きあるいは無しの操作ハンドル４４を容易に選択することができる。また、仮に操作ハンドル４４あるいはバイブレータ４９の故障時等には、操作ハンドル４４の交換のみでよいため、部品交換を簡単に行うことができる。
【０１０１】
［実施の形態２］
本発明の実施の形態２を説明する。実施の形態２は、上記した実施の形態１の一部を変更したものであるからその変更部分について詳述し、重複する説明は省略する。すなわち、図３４に示すように、左側の囲繞部材６８においては、下側の切欠き凹部６８ａが、該遊技盤６の左側縁部分に沿って区画壁６１（左側のレール６１Ａ）の左側端部から離れる方向すなわち下方に延長されかつその延長方向（下方）に開放されている。
【０１０２】
また、右側の囲繞部材６９においては、上側の切欠き凹部６９ａが、該遊技盤６の右側縁部分に沿って前記区画壁６１（右側のレール６１Ｂ）の右側端部から離れる方向すなわち上方に延長されかつその延長方向（上方）に開放されている。これとともに、下側の切欠き凹部６９ａが、該遊技盤６の右側縁部分に沿って区画壁６１（右側のレール６１Ｂ）の右側端部から離れる方向すなわち下方に延長されかつその延長方向（下方）に開放されている。
【０１０３】
また、遊技盤６のベース板６０の前面には、補助レール６１Ｄが図示しない釘によって装着されている（図３５参照）。図３４に示すように、補助レール６１Ｄは、例えば金属製のレール材で、所定のレール幅を有する帯板材をほぼ半円状に曲げて形成されており、右側の囲繞部材６９における凹形内側壁６１の内側面に沿って配置されている。また、補助レール６１Ｄの上端部は、左側のレール６１Ａの右端部と所定間隔を隔てて連続状をなしている。また、補助レール６１Ｄの下端部は、内側のレール６１Ｃの右端部と連続状をなしている。したがって、本実施の形態の場合、各レール６１Ａ，６１Ｂ，６１Ｃ，６１Ｄの協働によって、区画壁６１が構成されている。なお、右側の囲繞部材６９における凹形内側壁６１には、左側のレール６１Ａの右端部と補助レール６１Ｄの上端部との間に露出する部分において段差状をなす球止め部６９ｄが設けられている。また、前記実施の形態１におけるスピーカ用凹部６０ｄ（図１８参照）は省略されており、ベース板６０の右上隅角部が直角状に角張っている。
【０１０４】
上記した実施の形態によっても、前記実施の形態１と同様の作用効果が得られる。
さらに、下側の切欠き凹部６８ａ，６９ａが、前記遊技盤６の当該側縁部分に沿って前記区画壁６１の当該側端部から離れる方向に延長されかつその延長方向に開放されている（図３４参照）。これにより、左側の囲繞部材６８における切欠き凹部６８ａ、及び、右側の囲繞部材６９における上下の切欠き凹部６９ａの上下方向の長さが延長されている。このため、それらの切欠き凹部６８ａ，６９ａに対応する遊技盤６の規制面（ベース板６０の前面）に対する左右の係止部２７，２８の上下方向の長さ及び当接位置あるいは形状等の自由度を増大することができる。
【０１０５】
また、左側の囲繞部材６８における切欠き凹部６８ａ、及び、右側の囲繞部材６９における上下の切欠き凹部６９ａが延長方向に開放するように上下方向に長くすることは、遊技盤６の製造上においても有益といえる。すなわち、パチンコ機１の製造ラインにおいて、遊技盤６は、搬送台車に１台ずつセットされた状態で、その搬送台車とともに所定コースを移動する。そして、搬送台車が各組付工程、加工工程を経由していくことにより、遊技盤６に各種役物等の装置が組付られるとともに所要の加工が施される。ところで、搬送台車には、遊技盤６の正確なセット位置を確保するための位置決め治具（図示省略）が設けられている。位置決め治具は、遊技盤装着枠部２１の係止部２７，２８（図１２〜図１４参照）とほぼ同様の左右の係止部を備え、遊技盤６を所定のセット位置に位置決めした状態で固定する。したがって、遊技盤装着枠部２１の係止部２７，２８と同様に、位置決め治具の係止部２７，２８の長さ及び当接位置あるいは形状等の自由度を増大することができる。
【０１０６】
本発明は前記実施の形態に限定されるものではなく、本発明の要旨を逸脱しない範囲における変更が可能である。例えば、本発明は、パチンコ機１以外の遊技機に適用することも可能である。また、上記実施の形態では、遊技盤装着枠部２１に対し遊技盤６を後方から着脱可能に嵌め込んだ状態で支持したが、これとは逆に、遊技盤装着枠部２１に対し遊技盤６を前方から着脱可能に嵌め込んだ状態で支持してもよい。この場合、遊技盤装着枠部２１の係止部は、例えば、ベース板６０に設けたロックレバー６５とほぼ同様の回動式の係止部とすることが考えられる。すなわち、遊技盤６を嵌め込むときはその嵌め込みを可能とする格納位置に係止部を位置させておき、遊技盤６を嵌め込んだ後で係止部をロック位置に回動させることによって該係止部をベース板６０の当該側縁部に係合させて遊技盤６を固定する。また、上記実施の形態では、左側の係止部２７を上下２つ設けたが、その上下のどちらか一方は省略することができる。また、上記実施の形態では、右側の係止部２８を上下２つ設けたが、その上下のどちらか一方は省略することができる。また、左側の係止部２７又は右側の係止部２８の縦方向長さは、適宜変更することができる。また、遊技盤６のベース板６０には、金属製のレール材（６１Ａ，６１Ｃ）と樹脂製の囲繞部（囲繞部材６９）とにより区画壁６１を構成したが、金属製等のレール材のみによって区画壁を構成してもよい。この場合、囲繞部（囲繞部材６８，６９）は省略することが可能である。また、樹脂製の囲繞部のみによって区画壁を構成することもできる。また、ベース板６０と囲繞部を樹脂成形によって一体形成することができる。この場合、囲繞部には、係止部２７，２８を受入可能でかつ該係止部２７，２８が当接する規制面（ベース板６０の前面）を形成する受入凹部を形成することができる。このとき、規制面（ベース板６０の前面）は、ベース板の前面に相当する位置、すなわち基本的強度を確保するベース板部の前面に形成する。また、囲繞部（囲繞部材６８，６９）には、その前面側にレンズを組込みかつランプを内蔵することによって装飾性をもたせたり、その前面側に凹凸面、色彩等のパネル飾りを付して装飾をもたせることができる。
【０１０７】
また、各係止部２４，２５，２７，２８の前面２４ｃ，２５ｃ，２７ｃ，２８ｃと各囲繞部材６８，６９の前面６８ｃ，６９ｃは、異なる突出高さをもって形成することができる。また、各係止部２４，２５，２７，２８の前面２４ｃ，２５ｃ，２７ｃ，２８ｃと各囲繞部材６８，６９の前面６８ｃ，６９ｃは、平坦面に限らず、凹凸面によって形成することができる。
また、内枠体２０と各囲繞部材６８，６９は、同色又は類似色に限らず、異なる色に着色することができる。また、各囲繞部材６８，６９の表面と各係止部２４，２５，２７，２８の表面は、同色又は類似色に限らず、異なる色にすることができる。
また、各係止部２４，２５，２７，２８は、遊技盤装着枠部２１とともに内枠体２０に一体形成する他、内枠体２０と別体で形成される遊技盤装着枠部２１に一体形成することができる。また、各係止部２４，２５，２７，２８は、遊技盤装着枠部２１と別体で形成したものを遊技盤装着枠部２１に取付けるようにしてもよい。
また、左側の囲繞部材６８においては、上側の切欠き凹部６８ａを、該遊技盤６の左側縁部分に沿って区画壁６１の左側端部から離れる方向すなわち上方に延長しかつその延長方向（右方）に開放することができる。また、右側の囲繞部材６９においては、上下の切欠き凹部６９ａのうち、一方のみを該遊技盤６の右側縁部分に沿って前記区画壁６１の右側端部から離れる方向すなわち上方又は下方に延長しかつその延長方向に開放することができる。
【０１０８】
【発明の効果】
以上述べたように、本発明によれば、区画壁の外形を拡大することができ、これにより遊技領域を拡大することが可能となる。
【図面の簡単な説明】
【図１】本発明の実施の形態１にかかるパチンコ機を開閉扉の開放状態で示す斜視図である。
【図２】開閉扉を省いたパチンコ機を上皿部材の開放状態で示す斜視図である。
【図３】パチンコ機を内枠体の開放状態で示す斜視図である。
【図４】パチンコ機の正面図である。
【図５】パチンコ機の右側面図である。
【図６】パチンコ機の後面図である。
【図７】図４のＶＩＩ−ＶＩＩ線断面図である。
【図８】図４のＶＩＩＩ−ＶＩＩＩ線断面図である。
【図９】図４のＩＸ−ＩＸ線断面図である。
【図１０】図４のＸ−Ｘ線断面図である。
【図１１】図４のＸＩ−ＸＩ線断面図である。
【図１２】内枠体を示す斜視図である。
【図１３】内枠体を示す正面図である。
【図１４】内枠体を示す後面図である。
【図１５】図１３のＸＶ−ＸＶ線断面図である。
【図１６】図１３のＸＶＩ−ＸＶＩ線断面図である。
【図１７】機構盤を示す斜視図である。
【図１８】遊技盤を示す正面図である。
【図１９】遊技盤を示す右側面図である。
【図２０】開閉扉を示す斜視図である。
【図２１】開閉扉を示す正面図である。
【図２２】図２１のＸＸＩＩ−ＸＸＩＩ線断面図である。
【図２３】図２１のＸＸＩＩＩ−ＸＸＩＩＩ線断面図である。
【図２４】図２１のＸＸＩＶ−ＸＸＩＶ線断面図である。
【図２５】トップレンズを示す斜視図である。
【図２６】図２５のＸＸＶＩ−ＸＸＶＩ線断面図である。
【図２７】操作ハンドルを示す斜視図である。
【図２８】操作ハンドルを示す正面図である。
【図２９】操作ハンドルを示す平面図である。
【図３０】図２８のＸＸＸ−ＸＸＸ線断面図である。
【図３１】図４のＸＸＸＩ−ＸＸＸＩ線断面図である。
【図３２】遊技盤の配列状態を示す正面図である。
【図３３】囲繞部材が省略された遊技盤を示す正面図である。
【図３４】本発明の実施の形態２にかかる遊技盤を示す正面図である。
【図３５】囲繞部材が省略された遊技盤を示す正面図である。
【符号の説明】
１　パチンコ機（遊技機）
６　遊技盤
２０　内枠体
２１　遊技盤装着枠部
２４　上側の係止部
２４ｃ　前面
２５　下側の係止部
２５ｃ　前面
２７　左側の係止部
２７ｃ　前面
２８　右側の係止部
２８ｃ　前面
６０　ベース板
６１　区画壁
６３　遊技領域
６８　左側の囲繞部材（囲繞部）
６８ａ　切欠き凹部（受入凹部）
６８ｃ　前面
６９　右側の囲繞部材（囲繞部）
６９ａ　切欠き凹部（受入凹部）
６９ｃ　前面
【図１】
2004065934.tif 000003
【図２】
2004065934.tif 000004
【図３】
2004065934.tif 000005
【図４】
2004065934.tif 000006
【図５】
2004065934.tif 000007
【図６】
2004065934.tif 000008
【図７】
2004065934.tif 000009
【図８】
2004065934.tif 000010
【図９】
2004065934.tif 000011
【図１０】
2004065934.tif 000012
【図１１】
2004065934.tif 000013
【図１２】
2004065934.tif 000014
【図１３】
2004065934.tif 000015
【図１４】
2004065934.tif 000016
【図１５】
2004065934.tif 000017
【図１６】
2004065934.tif 000018
【図１７】
2004065934.tif 000019
【図１８】
2004065934.tif 000020
【図１９】
2004065934.tif 000021
【図２０】
2004065934.tif 000022
【図２１】
2004065934.tif 000023
【図２２】
2004065934.tif 000024
【図２３】
2004065934.tif 000025
【図２４】
2004065934.tif 000026
【図２５】
2004065934.tif 000027
【図２６】
2004065934.tif 000028
【図２７】
2004065934.tif 000029
【図２８】
2004065934.tif 000030
【図２９】
2004065934.tif 000031
【図３０】
2004065934.tif 000032
【図３１】
2004065934.tif 000033
【図３２】
2004065934.tif 000034
【図３３】
2004065934.tif 000035
【図３４】
2004065934.tif 000036
【図３５】
2004065934.tif 000037